(57)【特許請求の範囲】
【請求項１】
側壁に外側へ張り出す膨出部を設け、この膨出部に濾材をとどめるための通水板を取り付け、この通水板が、膨出部と交わる方向の両端側面に通水板が着脱できる固定具を設けてなることを特徴とする浄化槽用濾床槽。
【請求項２】
通水板に設ける固定具が、クランクアームと連接棒とからなることを特徴とする請求項１に記載の浄化槽用濾床槽。
【請求項３】
クランクアームの一方を通水板の側面に支点として支持させ、クランクアームのもう一方を連接棒の一方とピンで支持させ、連接棒のもう一方を通水板の側面に設けるピンに嵌着させるようにしてなることを特徴とする請求項２に記載の浄化槽用濾床槽。
【請求項４】
請求項１乃至請求項３のいずれかに記載の浄化槽用濾床槽を、嫌気濾床槽と好気濾床槽のいずれか一方若しくは両方として備えてなる浄化槽。
【発明の詳細な説明】
【０００１】
【発明の属する技術分野】
本発明は、住宅等から排出されるし尿や雑排水などの処理に用いられ、濾材を充填してなる浄化槽用濾床槽及びそれを備えた浄化槽に関する。
【０００２】
【従来の技術】
従来、浄化槽は、その浄化槽内が仕切壁によって仕切られて複数の槽が形成され、前記各槽には処理方式に応じて、固形物の物理的な除去も兼ねた嫌気的生物処理や好気的生物処理、さらには仕上げとしての沈殿、処理水の貯留、消毒等の機能が加えられている。そして、特に固形物の物理的な除去も兼ねた嫌気的生物処理や好気的生物処理が行われる槽、例えば嫌気処理槽、好気処理槽には、それらの処理効率を良くさせるために濾材が充填されることがある。濾材を充填した前記の嫌気処理槽は嫌気濾床槽、好気処理槽は好気濾床槽、また、前記濾材を充填して形成される層を濾層と称している。
【０００３】
前記濾材には、プラスチック製の網様円筒状、骨格様球状、へちま状、小円筒状、波板状、チューブ状、繊維絡み状、スポンジ状等の多様な形状物、あるいは、アンスラサイト（無煙炭）、珪砂、セラッミクス等の定型、不定形の粒状、小片の形状物が用いられている。前記各種濾材の中では、浄化槽の製品重量の軽量化、取り扱い性、輸送性、コストなどの観点から、プラスチック製濾材が多く用いられている。
【０００４】
そして、浄化槽に用いられる濾床槽は、槽内に充填する濾材が水流にのって流出したり、あるいは水面上に浮上したりするのを防止するために、即ち、水は通すが濾材を通さないでとどめる通水板が水平方向に設けられる。濾床槽に水中で沈降する濾材を充填する場合には、通常濾床槽底部に通水板が配置され、この上側に濾材が充填される。また、濾床槽に水中で浮上する濾材を充填する場合には、通常濾床槽上部に通水板が配置され、この下側に濾材が充填される。あるいは、濾材の沈降性、浮上性に関係なく、濾床槽の上下に通水板を配置し、この間に濾材を充填する場合もある。さらには、濾床槽の下部から上部に向って、通水板、濾材、通水板、濾材、通水板と配置させ、濾層を垂直方向に複数形成させる場合もある。
【０００５】
例えば、図５〜図７に示すように、濾床槽１の外壁は、対峙する１対の側壁２、２と、対峙する側壁３、３との２対の対峙する側壁で形成され、平面視で略四角形となっている。そして、濾床槽１は、立設する支持体４、７、９で固定される通水板５、８、１１が上中下の３個所に配置され、前記通水板５と８及び８と１１の間に濾材６、１０が充填され、上下２つの濾層が形成される。
【０００６】
前記した濾床槽１において、充填する濾材６、１０が沈降性を有する場合にはその荷重が支持体５、８にかかるために、支持体５、８は濾材６、１０の荷重に耐えるように設計されている。また、充填する濾材６、１０が浮上性を有する場合にはその浮力が支持体８、１１にかかるために、支持体８、１１は濾材６、１０の浮力に耐えるように設計されている。
【０００７】
また、前記濾床槽１は、充填する濾材６、１０の状態を時々確認する必要があるために、前記した通水板５、８、１１及び支持体４、７、９を上側から順次取り出せるように組み立てられている。即ち、前記通水板５、８、１１及び支持体４、７、９は着脱ができるようにしてあり、従って対峙する２対の側壁（２、２、３、３）に対しては、着脱できる固着手段がとられる。
【０００８】
そのため、図５〜図７の例では、前記の通水板５、８、１１及び支持体４、７、９が下部から順に載置され、最上部の通水板１１の上側には、抑止体１２が配置される。前記抑止体１２は、通水板５、８、１１及び支持体４、７、９を上側から抑えるものであり、抑止体１２の両側は、対峙する１対の側壁３、３に取り付けられるＣの字形の固定具１３、１３に嵌合される。従って抑止体１２は、固定具１３、１３に嵌合するだけの固着であり、接着剤やネジ止めによる固定手段を用いていないので、取り外しが容易になっている。
【０００９】
【発明が解決しようとする課題】
浄化槽は長年に渡って使用されるものであり、前記した濾床槽を嫌気濾床槽または好気濾床槽として浄化槽に組み込んで用いる場合、維持管理時等において時々濾床槽に充填される濾材の点検、あるいは濾層下部に設けられる散気管等の点検が必要とされる。そのため、前記した図５〜図７に示すような濾床構造が取られ、各部材が着脱できるようにされている。しかしながら、抑止体１２を着脱する際に固定具１３が破損したり、また、濾材に浮上性濾材を用いるとその濾材の浮力が最上部に位置する抑止体１２に大きくかかってしまい、抑止体１２が固定具１３から外れてしまったり、または固定具１３が破損したりする。
【００１０】
本発明は、前記した課題に鑑みてなされたものであり、濾床槽の通水板を支持する支持体や通水板の最上部から抑える抑止体等を不要とし、また、通水板を容易に着脱でき濾材や散気管等の点検も容易に行うことのできる浄化槽用濾床槽及び浄化槽を提供することを目的とするものである。
【００１１】
【課題を解決するための手段】
本発明は次のものに関する。
（１）側壁に外側へ張り出す膨出部を設け、この膨出部に濾材をとどめるための通水板を取り付け、この通水板が、膨出部と交わる方向の両端側面に通水板が着脱できる固定具を設けてなることを特徴とする浄化槽用濾床槽。
（２）通水板に設ける固定具が、クランクアームと連接棒とからなることを特徴とする上記（１）に記載の浄化槽用濾床槽。
（３）クランクアームの一方を通水板の側面に支点として支持させ、クランクアームのもう一方を連接棒の一方とピンで支持させ、連接棒のもう一方を通水板の側面に設けるピンに嵌着させるようにしてなることを特徴とする上記（２）に記載の浄化槽用濾床槽。
（４）上記（１）乃至（３）のいずれかに記載の浄化槽用濾床槽を、嫌気濾床槽と好気濾床槽のいずれか一方若しくは両方として備えてなる浄化槽。
【００１２】
【発明の実施の形態】
本発明になる浄化槽用濾床槽は、槽内に濾材を充填して嫌気濾床槽及び／又は好気濾床槽として浄化槽に用いるものである。また、本発明になる前記浄化槽用濾床槽は、浄化槽を一部利用して浄化槽と一体化したものであってもよく、また別体で形成して浄化槽に内蔵させるようにしてもよい。
【００１３】
前記した濾床槽に充填する濾材は、汚水中の固形物の除去や濾材に微生物を付着させて嫌気的生物処理または好気的生物処理を効率よく行わせるために充填するものである。これら濾材には、プラスチック製の網様円筒状、骨格様球状、へちま状、小円筒状、波板状、チューブ状、繊維絡み状、独立気泡体や連通気泡体の発泡体等、あるいは、アンスラサイト（無煙炭）、珪砂、セラッミクス等の比較的小形の形状物、例えば粒状若しくは小片等からなるものが用いられる。好ましくは、濾床槽の重量を軽くできること、取り扱い性が容易なこと、耐久性があることなどの観点から、水中で浮上する浮上性濾材が用いられる。
【００１４】
本発明になる濾床槽について、図１〜図３を参照して説明する。図１は、浄化槽の外槽を一部利用して濾床槽を形成させ浄化槽に内蔵させる場合の濾床槽の平面図を示す。図２は、図１のＡ−Ａ面における濾床槽の断面図であり、（ａ）は通水板を対峙する１対の側壁の膨出部に載置し、通水板が取り出せる状態、（ｂ）は、通水板に設ける固定具のクランクアームを膨出部内で立設させ、通水板を固着させる状態を示す。図３は、図２のイ部及びロ部の拡大断面図を示す。
【００１５】
なお、図２では、通水板を垂直方向の３個所に配置させ、この間に濾材６、１０を充填させ濾層を２層形成させる場合を示している。前記した濾層を１層あるいは１層以上を形成させる場合には、それに応じて通水板及び対峙する１対の側壁の膨出部を垂直方向に設けることで可能になる。
【００１６】
図１において、濾床槽１は、対峙する２対の側壁２、２及び３、３で囲まれ、平面視で略四角形をなしている。前記した対峙する１対の側壁３、３は、浄化槽２５の底部から垂直方向上部に向けて立設させている。そして、前記対峙する１対の側壁３、３には、対称とするそれぞれの位置に外側へ張り出す膨出部１７、１７を設け、前記膨出部１７、１７の底面の受け部２６（図３参照）に通水板１６を載置させるようにしている。また、前記側壁３、３の下部には、濾床槽１の槽内水を他槽へ移流させる開口部２７、散気管（図示省略）等を配置させることもできる。なお、前記した膨出部１７、１７と通水板１６との関係は、その他の位置にある膨出部と通水板（１４、１５）とも共通するので、上部位置にある膨出部１７、１７と通水板１６を用いて説明する。
【００１７】
対峙する１対の側壁３、３には、ＦＲＰ製、ジシクロペンタジエン製等のプラスチック製成形板、またはステンレス、アルミニウム、鉄等の金属製成形板が用いられる。
【００１８】
対峙する１対の側壁３、３の膨出部１７に載置する通水板１６は、充填する濾材１０が濾床槽から流出したり、または少なくとも水面より上側に浮上しないように配置させ、濾層を形成させるようにするものである。従って、通水板１６には、スリット状、網目状、打ち抜き穴状等を有し、水を通すが濾材１０は通さないでとどめおく形状のものが用いられる。通水板１６と対峙する１対の側壁２、２との間に濾材１０が通るような隙間を生じるときには、対峙する１対の側壁２、２から塞ぎ板３０、３０等を張り出させ、その隙間を封じるようにしてもよいし、対峙する１対の側壁２、２と一体に成形して張り出すようにしてもよい。
【００１９】
また、通水板１６は、濾材１０の荷重や浮力に耐える強度を有するように形成され、ポリプロピレン、ポリエチレン、硬質ポリ塩化ビニル、ＦＲＰ、ジシクロペンタジエン等のプラスチック製、またはステンレス、アルミニウム、鉄等の金属製等からなる成形物が用いられる。
【００２０】
また、前記した通水板１６には、別の残り対峙する１対の側壁２、２面側に、通水板１６を膨出部１７、１７に固着させる固定具を取り付けるようにしている。また、前記固定具は、膨出部１７、１７に対応させて前記通水板１６の同一側面の両端２個所に取り付けられる。なお、前記した固定具を取り付ける通水板１６の側面は、固定具を取り付けやすいように略垂直になる面を有することが好ましい。
【００２１】
前記した固定具について、図３を参照して説明する。通水板１６の側面に取り付ける固定具は、ピン２０で固定されるクランクアーム１８と連接棒１９若しくは連接板とからなっている。前記クランクアーム１８は、通水板１６の側面に支点２１として支持され取り付けられる。クランクアーム１８は、支点２１を中心にして略垂直位置から略水平位置との間で回動するようにさせ、また連接棒１９は、ピン２０によりクランクアーム１８とは別に可動できるようにさせている。
【００２２】
前記の固定具により通水板１６は、次のようにして膨出部１７に固着させる。まず図３（ａ）のように固定具を略水平方向に位置させて通水板１６を膨出部１７の受け部２６に載置させる。次に図３（ｂ）のようにクランクアーム１８を略垂直位置に回動させ、連接棒１９に設けている切り欠き部２８を通水板１６の側面に設けているピン２２に嵌着させる。これによって、クランクアーム１８及び連接棒１９は固定され、またクランクアーム１８、連接棒１９及び通水板１６の側面とは、略直角三角形を形成して強固な形となる。
【００２３】
他方、クランクアーム１８は、膨出部１７内で立設させ、且つクランクアーム１８の長さを膨出部１７の高さに近い寸法とさせているので、クランクアーム１８が膨出部１７に嵌まり込む形となる。従って、クランクアーム１８は上下移動が抑止される、即ち通水板１６を膨出部１７に固着させることができる。
【００２４】
通水板１６を取り出す場合は、連接棒１９の切り欠き部２８をピン２２から外し、図３（ａ）のようにクランクアーム１８を略水平位置に回動させ、連接棒１９の切り欠き部２８をピン２３に嵌着させる。すると、通水板１６と膨出部１７の高さ方向との間には、十分な隙間が生じるので、通水板１６を傾斜させるなどして濾床槽１から容易に取り出すことができる。
【００２５】
また、通水板１６は、濾床槽１が大きくなるとそれに伴い大きくなってしまうので、取り扱い性に支障をきたす場合もある。そのような場合には、例えば図１に示すように通水板１６は、膨出部１７、１７が設けてなる対峙する１対の側壁３、３と交わる方向に複数分割して設けることができる（１６−１、１６−２、１６−３）。そして、複数に分割する通水板１６−１、１６−２、１６−３には、それぞれ前記した固定具が取り付けられる。なお、分割する数は、特には限定されない。
【００２６】
前記した固定具には、ポリプロピレン、ポリエチレン、硬質ポリ塩化ビニル、ＦＲＰ、ジシクロペンタジエン等のプラスチック製、またはステンレス、アルミニウム、鉄等の金属製等からなるものが用いられる。
【００２７】
濾床槽１は、嫌気濾床槽と好気濾床槽のいずれか一方若しくは両方を浄化槽２５に備えることができる。例えば、図４では、濾床槽１を好気濾床槽３１として備えた浄化槽２５を示している。なお、図４は、浄化槽２５の概略断面図である。
【００２８】
浄化槽２５は、汚水が流入する側から嫌気濾床槽１室３２、嫌気濾床槽２室３３、好気濾床槽３１、処理水槽３４、消毒槽３５が配置されている。好気濾床槽３１は、通水板１６が膨出部１７を有する対峙する１対の側壁３、３に取り付けられている。また、前記膨出部１７及び通水板１６は、上下方向３個所に取り付けられ、そして、通水板１６で仕切られる上下の間には、濾材６、１０が充填されている。また、好気濾床槽３１には、空気を供給する散気管３６、３７が配置されている。なお、図４では、濾層を２層に構成させているが、単層あるいは複数層とする構成としてもよい。
【００２９】
汚水は浄化槽２５で次のようにして処理される。嫌気濾床槽１室３２に流入する汚水は、ここで固形物の除去や嫌気的生物処理をされ、嫌気濾床槽２室３３に移流される。嫌気濾床槽２室３３は、嫌気濾床槽１室３２と同様にさらに処理がされ、好気濾床槽３１に移流される。好気濾床槽３１では、好気的生物処理と残留する固形物の除去が行われる。ここまでの処理によって、汚水は固形物や有機物の分解除去が行われて浄化される。処理水槽３４に移流される処理水は、消毒槽３５で消毒されて浄化槽２５外に放流される。図１、図２及び図４での符号２９は、浄化槽２５のマンホールカバーを示している。
【００３０】
なお、図１〜図４では、濾床槽１の実施の形態として、断面が四角形の形状について示したが、必ずしもこれに限定されるものではなく、例えば断面が円形、楕円形、多角形等の形状をしていてもよく、断面が四角形又はこれらの形状を有する濾床槽１を別体で組み立てて、浄化槽２５の所定の枠内に又は浄化槽２５の壁と濾床槽１を密にして隔壁となるように内蔵させてもよい。
【発明の効果】
本発明は、通水板を側壁の膨出部に取り付けるようにして、また通水板自体に通水板を着脱できる固定具を設ける構成としたので、これによって濾床槽内の濾材や散気管等の点検を容易に行える浄化槽用濾床槽及び浄化槽を提供できる。
【図面の簡単な説明】
【図１】本発明になる浄化槽用濾床槽を示し、浄化槽の外槽を一部利用して濾床槽を形成させる場合の濾床槽の平面図。
【図２】図１のＡ−Ａ面における浄化槽用濾床槽を示し、（ａ）は、通水板を膨出部に載置した状態を示す断面図、また（ｂ）は、通水板を膨出部に固着した状態を示す断面図。
【図３】図２の（ａ）、（ｂ）の詳細を示し、（ａ）は図２（ａ）のイ部の拡大断面図、（ｂ）は図２（ｂ）のロ部の拡大断面図。
【図４】本発明になる濾床槽を備えた浄化槽の概略断面図。
【図５】従来の浄化槽用濾床槽を示し、浄化槽の外槽を一部利用して濾床槽を形成させる場合の濾床槽の平面図。
【図６】図５のＢ−Ｂ面における浄化槽用濾床槽の断面図。
【図７】図５のハ部の拡大平面図。
【符号の説明】
１．濾床槽    ２．側壁    ３．側壁    ４．支持体    ５．通水板    ６．濾材    ７．支持体    ８．通水板    ９．支持体    １０．濾材    １１．通水板    １２．抑止体    １３．固定具    １４．通水板    １５．通水板    １６．通水板    １７．膨出部    １８．クランクアーム    １９．連接棒    ２０．ピン    ２１．支点    ２２．ピン    ２３．ピン    ２５．浄化槽    ２６．受け部    ２７．開口部    ２８．切り欠き    ２９．マンホールカバー  ３０．塞ぎ板    ３１．好気濾床槽    ３２．嫌気濾床槽１室    ３３．嫌気濾床槽２室    ３４．処理水槽    ３５．消毒槽    ３６．散気管    ３７．散気管
【図１】
0004117411.tif 000002
【図２】
0004117411.tif 000003
【図３】
0004117411.tif 000004
【図４】
0004117411.tif 000005
【図５】
0004117411.tif 000006
【図６】
0004117411.tif 000007
【図７】
0004117411.tif 000008